(57)【要約】【課題】振動周波数が異なる複数の態様の振動を操作パネルに効率よく発生させる。【解決手段】実施形態の一態様においては、入力装置は、操作パネルと、振動部と、支持パネルと、接着部とを備える。操作パネルは、操作面を有する。振動部は、操作パネルに取り付けられ、操作パネルを振動周波数が異なる複数の態様で振動させる。支持パネルは、操作パネルの操作面とは反対側の裏面に対向して配置され、操作パネルを支持する。接着部は、操作パネルと支持パネルとを接着する。また、接着部は、第１接着部と、第２接着部とを備える。第１接着部は、操作パネルにおける振動部の周辺領域と支持パネルとを接着する。第２接着部は、第１接着部より硬度が高く、操作パネルにおける振動部の周辺領域以外の領域と支持パネルとを接着する。【選択図】図１
2018205880.tif 000002
【特許請求の範囲】
【請求項１】
操作面を有する操作パネルと、
前記操作パネルに取り付けられ、前記操作パネルを振動周波数が異なる複数の態様で振動させる振動部と、
前記操作パネルの操作面とは反対側の裏面に対向して配置され、前記操作パネルを支持する支持パネルと、
前記操作パネルと前記支持パネルとを接着する接着部と
を備え、
前記接着部は、
前記操作パネルにおける前記振動部の周辺領域と前記支持パネルとを接着する第１接着部と、
前記第１接着部より硬度が高く、前記操作パネルにおける前記振動部の周辺領域以外の領域と前記支持パネルとを接着する第２接着部と
を備えることを特徴とする入力装置。
【請求項２】
前記振動部は、
前記操作面の外側の領域に互いに対向して取り付けられる複数の振動部であり、
前記接着部は、
前記第１接着部と前記第２接着部との境界面が、前記振動部の互いに対向する側面と面一になるように設けられること
を特徴とする請求項１に記載の入力装置。
【請求項３】
前記操作パネルは、
四角形状の板であり、
前記第１接着部は、
前記操作パネルにおける四隅部と前記支持パネルとを接着すること
を特徴とする請求項１または２に記載の入力装置。
【請求項４】
前記操作パネルは、
矩形状の板であり、
前記接着部は、
前記操作パネルの長辺側と前記支持パネルとを接着すること
を特徴とする請求項１〜３のいずれか一つに記載の入力装置。
【請求項５】
前記接着部は、
粘着テープであること
を特徴とする請求項１〜４のいずれか一つに記載の入力装置。
【請求項６】
操作面を有する操作パネルと、前記操作パネルに取り付けられ、前記操作パネルを振動させる振動部と、前記操作パネルの操作面とは反対側の裏面に対向して配置され、前記操作パネルを支持する支持パネルと、前記操作パネルと前記支持パネルとを接着する接着部とを備え、前記接着部は、前記操作パネルにおける前記振動部の周辺領域と前記支持パネルとを接着する第１接着部と、前記第１接着部より硬度が高く、前記操作パネルにおける前記振動部の周辺領域以外の領域と前記支持パネルとを接着する第２接着部と、を備える入力装置と、
前記操作面に対する操作に基づき、振動周波数が異なる複数の態様で前記操作パネルを振動させるように前記振動部を制御する振動制御部と
を備えることを特徴とする入力システム。
【請求項７】
前記振動制御部は、
前記操作面に対する操作に基づき、超音波帯域の周波数の振動を前記操作パネルに発生させる第１振動態様と、超音波帯域より低い周波数の帯域の振動を前記操作パネルに発生させる第２振動態様との間で切り替えるように前記振動部を制御すること
を特徴とする請求項６に記載の入力システム。
【発明の詳細な説明】
【技術分野】
【０００１】
本発明は、入力装置および入力システムに関する。
【背景技術】
【０００２】
従来、ユーザに触覚を与えることで入力操作を受け付けたことを認識させる入力装置が知られている。かかる入力装置では、たとえばユーザの操作面に対する押圧力に応じて振動を発生させることで、ユーザに対して入力操作を受け付けたことを認識させている（たとえば特許文献１参照）。
【先行技術文献】
【特許文献】
【０００３】
【特許文献１】特開２０１３−２３５６１４号公報
【発明の概要】
【発明が解決しようとする課題】
【０００４】
しかしながら、上記した入力装置には、操作面を有する操作パネルに振動を効率よく発生させるという点で改善の余地があった。すなわち、操作パネルは、支持パネルによって支持される。かかる操作パネルと支持パネルとは、両面テープなどの接着部によって接着される。また、入力装置にあっては、たとえば高周波の振動や低周波の振動など振動周波数が異なる複数の態様で操作パネルを振動させることがある。
【０００５】
ここで、上記した振動は、振動周波数が高くなるに連れて操作パネルや接着部の剛性を高くすると、操作パネルに発生し易くなる。しかしながら、たとえば接着部の剛性を高くするため、接着部の硬度を比較的高くすると、高周波の振動は操作パネルに発生し易くなるものの、低周波の振動は発生し難くなってしまう。逆に、たとえば接着部の硬度を比較的低くして剛性を低くすると、低周波の振動は操作パネルに発生し易くなる一方、高周波の振動は発生し難くなってしまう。このように、従来技術には、振動周波数が異なる複数の態様の振動を操作パネルに効率よく発生させるという点で改善の余地があった。
【０００６】
本発明は、上記に鑑みてなされたものであって、振動周波数が異なる複数の態様の振動を操作パネルに効率よく発生させることができる入力装置および入力システムを提供することを目的とする。
【課題を解決するための手段】
【０００７】
上記課題を解決し、目的を達成するために、本発明は、入力装置において、操作パネルと、振動部と、支持パネルと、接着部とを備える。操作パネルは、操作面を有する。振動部は、前記操作パネルに取り付けられ、前記操作パネルを振動周波数が異なる複数の態様で振動させる。支持パネルは、前記操作パネルの操作面とは反対側の裏面に対向して配置され、前記操作パネルを支持する。接着部は、前記操作パネルと前記支持パネルとを接着する。また、前記接着部は、第１接着部と、第２接着部とを備える。第１接着部は、前記操作パネルにおける前記振動部の周辺領域と前記支持パネルとを接着する。第２接着部は、前記第１接着部より硬度が高く、前記操作パネルにおける前記振動部の周辺領域以外の領域と前記支持パネルとを接着する。
【発明の効果】
【０００８】
本発明によれば、振動周波数が異なる複数の態様の振動を操作パネルに効率よく発生させることができる。
【図面の簡単な説明】
【０００９】
【図１】図１は、実施形態に係る入力装置の側断面図である。
【図２】図２は、実施形態に係る電子装置システムの搭載例を示す図である。
【図３】図３は、実施形態に係る電子装置システムの構成例を示す図である。
【図４】図４は、実施形態に係る入力システムの平面図である。
【図５】図５は、図４のＶ−Ｖ線断面図である。
【図６】図６は、入力システムと表示装置との関係を示す図である。
【図７】図７は、変形例に係る入力システムの平面図である。
【発明を実施するための形態】
【００１０】
以下、添付図面を参照して、本願の開示する入力装置および入力システムの実施形態を詳細に説明する。なお、以下に示す実施形態によりこの発明が限定されるものではない。
【００１１】
＜１．入力装置の概要＞
以下では先ず、実施形態に係る入力装置の概要について図１を用いて説明する。図１は、実施形態に係る入力装置の側断面図である。
【００１２】
なお、図１や図４以降に示す図は、いずれも模式図である。したがって、図１等に示される各構成要素の大きさや形状等は必ずしも正確ではない。また、各図では、理解の便宜のため、各構成要素を誇張して示す場合がある。図１には、Ｘ軸、Ｙ軸およびＺ軸を含む３次元の直交座標系が示されている。かかる３次元の直交座標系は、他の図面でも示される場合がある。
【００１３】
図１に示すように、入力装置１は、操作パネル１０と、振動部２０と、支持パネル３０と、接着部４０とを備える。なお、入力装置１は、図示しない制御部によって制御されることで、たとえば操作パネル１０が有する操作面１１が振動する振動機能付きのタッチパッドとして用いることができる。また、入力装置１および制御部は、後述するように、液晶ディスプレイなどの表示部と組み合わせて、振動機能付きのタッチパネルとして用いることもできる。
【００１４】
操作パネル１０は、平板状の部材であり、略中央に操作面１１を有する。操作パネル１０は、ユーザの操作面１１に対する接触位置を検出する機能を有する。たとえば、操作パネル１０は、図示しない静電容量方式の接触センサを備え、かかる接触センサによってユーザの操作面１１への接触位置を検出することができる。操作パネル１０が接触位置を検出する機能を有していない場合は、支持パネル３０が接触位置を検出する機能を有してもよく、または、接触位置を検出する機能を有する構成を別途配置してもよい。なお、ユーザの操作面１１に対する接触は、たとえば、ユーザが指等を操作面１１へ接触させたり、タッチペン等を操作面１１に接触させたりすることによって行われる。
【００１５】
振動部２０は、たとえば圧電素子（ピエゾ素子）などの振動素子である。振動部２０は、複数（ここでは２個）ある。なお、図１に示す例では、振動部２０を２個としたが、これに限られず、１個または３個以上であってもよい。
【００１６】
振動部２０は、たとえば操作パネル１０の端部付近にそれぞれ取り付けられる。振動部２０は、操作パネル１０の操作面１１側に接着剤等によって固定されて取り付けられる。そして、振動部２０は、操作パネル１０を振動させる。たとえば、振動部２０は、制御部によって制御され、振動周波数が異なる複数の態様で操作パネル１０を振動させることができる。
【００１７】
具体的には、振動部２０は、ユーザの指が操作面１１に接触した状態において超音波帯域の高周波で操作パネル１０を振動させたり、超音波帯域よりも低い低周波で操作パネル１０を振動させたりする。これにより、操作面１１上のユーザの指に対し、つるつるした触感やぶるぶる震える触感を与えることができるが、これについては図３を用いて後述する。
【００１８】
支持パネル３０は、操作パネル１０を支持する。具体的には、支持パネル３０は、平板状の部材である。支持パネル３０は、操作パネル１０の操作面１１とは反対側の裏面１２に対向して配置され、操作パネル１０を支持する。
【００１９】
接着部４０は、操作パネル１０と支持パネル３０とを接着する。なお、操作パネル１０は、接着部４０によって全面が支持パネル３０に接着されるものではなく、たとえば長辺側など部分的に支持パネル３０に接着されるが、これについては図４を用いて後述する。
【００２０】
ところで、本実施形態に係る入力装置１にあっては、上記したように、高周波の振動や低周波の振動など振動周波数が異なる複数の態様で操作パネル１０を振動させる。
【００２１】
入力装置１が超音波帯域の高周波で操作パネル１０を振動させると、操作パネル１０には、定在波Ｗが発生する。かかる定在波Ｗは、たとえば接着部４０の硬度を高くして剛性が高い方が、操作パネル１０に発生し易い。詳しくは、たとえば接着部４０の硬度を低くして剛性が低いと、振動部２０の振動が接着部４０に吸収されて、結果として操作パネル１０の定在波Ｗの発生が阻害されるおそれがある。そのため、入力装置１が高周波で操作パネル１０を振動させる場合、接着部４０の硬度は高い方が好ましい。
【００２２】
しかしながら、接着部４０の硬度を高くして剛性が高くなると、操作パネル１０は支持パネル３０に対して変位し難くなる、言い換えると、揺れ難くなる。そのため、入力装置１が低周波で操作パネル１０を振動させようとしても、操作パネル１０には低周波の振動が発生し難い。すなわち、入力装置１が低周波で操作パネル１０を振動させる場合、操作パネル１０を支持パネル３０に対して揺れ易くするため、接着部４０の硬度は低い方が好ましい。このように、高周波の振動と低周波の振動とでは、接着部４０の好ましい硬度が互いに異なる。
【００２３】
そこで、本実施形態では、接着部４０は、硬度が異なる複数（ここでは２つ）の接着部を備えるようにした。これにより、振動周波数が異なる複数の態様の振動を操作パネル１０に効率よく発生させることができる。
【００２４】
詳しくは、本実施形態に係る接着部４０は、第１接着部４０ａと、第２接着部４０ｂとを備える。なお、図１および以降の図面では、第１、第２接着部４０ａ，４０ｂが設けられる位置を明示するため、第１接着部４０ａをドットで示し、第２接着部４０ｂを網掛けで示している。
【００２５】
第１接着部４０ａは、操作パネル１０における振動部２０の周辺領域１０ａと支持パネル３０とを接着する位置に設けられる。周辺領域１０ａは、たとえば振動部２０が操作パネル１０の端部に取り付けられる場合、操作パネル１０において振動部２０近傍の四隅部１０ｂ（図４参照）を含む。なお、かかる周辺領域１０ａは、上記に限定されるものではなく、振動部２０付近であれば、任意の領域に設定してもよい。
【００２６】
第１接着部４０ａは、硬度が比較的低い接着部である。なお、第１接着部４０ａとしては、たとえば発泡ポリオレフィンフォームを基材とした粘着テープ（両面テープ）を用いることができる。
【００２７】
このように、振動部２０の周辺領域１０ａと支持パネル３０とを接着する部分に、硬度が低い第１接着部４０ａを設けるようにしたことから、操作パネル１０は、支持パネル３０に対して揺れ易くなり、所謂フローティング状態のようになる。これにより、入力装置１は、振動部２０を低周波で振動させた場合、振動部２０の振動に伴って操作パネル１０に低周波の振動を効率よく発生させることができる。
【００２８】
第２接着部４０ｂは、操作パネル１０における振動部２０の周辺領域１０ａ以外の領域（たとえば操作パネル１０の長辺１０ｃ側（図４参照））と支持パネル３０とを接着する位置に設けられる。かかる周辺領域１０ａ以外の領域およびその付近は、入力装置１が超音波帯域の高周波で操作パネル１０を振動させる場合に定在波Ｗが発生する領域を含む。
【００２９】
第２接着部４０ｂは、硬度が比較的高い接着部であり、詳しくは第１接着部４０ａより硬度が高い接着部である。なお、第２接着部４０ｂとしては、たとえばアクリルを基材とした粘着テープ（両面テープ）を用いることができる。
【００３０】
このように、振動部２０の周辺領域１０ａ以外の領域と支持パネル３０とを接着する部分に、硬度が高い第２接着部４０ｂを設けるようにしたことから、振動部２０の振動は第２接着部４０ｂに吸収され難くなる。これにより、入力装置１は、振動部２０を高周波で振動させた場合、振動部２０の振動に伴って操作パネル１０に定在波Ｗを効率よく発生させることができる。
【００３１】
このように、本実施形態にあっては、硬度が異なる第１、第２接着部４０ａ，４０ｂを備えることで、高周波の振動や低周波の振動など振動周波数が異なる複数の態様の振動を操作パネル１０に効率よく発生させることができる。
【００３２】
＜２．電子装置システムの搭載例＞
図２は、実施形態に係る入力装置１を備えた入力システム１００を含む電子装置システム２００の搭載例を示す図である。図２に示すように本実施形態に係る電子装置システム２００は、一例として車両に搭載される。
【００３３】
電子装置システム２００は、入力システム１００と、表示装置６０とを備える。入力システム１００は、たとえば、表示装置６０やスピーカ等の車載装置とネットワーク通信を介して接続され、かかる車載装置の入力デバイスとして機能する。また、入力システム１００は、入力装置１を含み、入力装置１は、上記したようにタッチパッドとして用いることができる。
【００３４】
操作パネル１０の操作面１１は、たとえば、センターコンソールのシフトレバーＳ近傍など、運転者から操作しやすい位置に配置される。図２の例では、操作面１１は、アームレストＲとシフトレバーＳとの間に配置される。したがって、ユーザは、腕をアームレストＲに置いた状態で操作面１１を操作することができる。これにより、ユーザは、運転姿勢を変化させることなく入力システム１００を容易に操作することができる。
【００３５】
車載装置は、たとえば、所定の画像を表示する表示装置６０や、所定の音声を出力するスピーカ、エアコン、カーナビゲーションシステムなどの各種機器である。したがって、ユーザは、入力システム１００を操作することでかかる各種機器を操作することができる。
【００３６】
上記した入力システム１００は、ユーザからの入力操作を受け付けると、かかる入力操作に伴って操作パネル１０に高周波の振動や低周波の振動を発生させ、これによりユーザに対して入力操作を受け付けたことを認識させることが可能となる。
【００３７】
＜３．電子装置システムの詳細＞
次に、実施形態に係る電子装置システム２００について図３を用いて説明する。図３は、実施形態に係る電子装置システム２００の構成例を示す図である。なお、図３では、本実施形態の特徴を説明するために必要な構成要素のみを機能ブロックで表しており、一般的な構成要素についての記載を省略している。
【００３８】
換言すれば、図３に図示される各構成要素は機能概念的なものであり、必ずしも物理的に図示の如く構成されていることを要しない。たとえば、各機能ブロックの分散・統合の具体的形態は図示のものに限られず、その全部または一部を、各種の負荷や使用状況などに応じて、任意の単位で機能的または物理的に分散・統合して構成することが可能である。
【００３９】
図３に示すように、電子装置システム２００は、入力システム１００と、表示装置６０とを備える。入力システム１００は、入力装置１と、制御部５０とを備える。入力装置１は、ユーザからの入力操作を受け付ける。入力装置１は、上記した操作パネル１０と、振動部２０とを備える。操作パネル１０は、ユーザによる入力を操作面１１を介して受け付けると、ユーザと操作面１１との接触位置を検出し、検出された接触位置に応じた情報（たとえば座標情報）を含む信号を制御部５０へ出力する。
【００４０】
制御部５０は、入力装置１の操作パネル１０が検出した接触位置に応じて、振動部２０を制御する。制御部５０は、ＣＰＵ（Central  Processing  Unit）および記憶部などを備えたマイクロコンピュータである。
【００４１】
制御部５０は、操作検出部５１と、振動制御部５２とを備える。操作検出部５１は、操作パネル１０から出力された接触位置の情報に基づき、操作面１１に対して行われたユーザの入力操作を検出する。
【００４２】
たとえば、操作検出部５１は、電子装置システム２００がカーナビゲーションシステムとして用いられるときに、操作パネル１０から出力された接触位置の情報が、操作面１１の目的地設定ボタンに対応する位置であった場合、ユーザの入力操作が目的地を設定する入力操作であることを検出する。
【００４３】
操作検出部５１は、操作面１１に対するユーザの入力操作を検出すると、検出した入力操作を示す信号を振動制御部５２および表示装置６０へ出力する。
【００４４】
振動制御部５２は、操作検出部５１から出力された信号、すなわち、ユーザの入力操作を示す信号に基づいて、振動部２０に対して電圧信号を出力して振動部２０を制御する。すなわち、振動制御部５２は、操作面１１に対する入力操作に基づいて振動部２０を制御する。
【００４５】
詳しくは、振動制御部５２は、操作面１１に対する入力操作に基づき、振動周波数が異なる複数の態様で操作パネル１０を振動させるように振動部２０を制御することができる。より詳しくは、振動制御部５２は、操作面１１に対する入力操作に基づき、超音波帯域の周波数の振動を操作パネル１０に発生させる態様と、超音波帯域より低い周波数の帯域の振動を操作パネル１０に発生させる態様との間で切り替えるように振動部２０を制御することができる。
【００４６】
上記した超音波帯域の周波数（高周波）は、たとえば２０〜４０ｋＨｚであり、超音波帯域より低い周波数（低周波）は、たとえば２００Ｈｚ以下であるが、これらに限定されるものではない。なお、超音波帯域の高周波で振動を発生させる態様は、第１振動態様の一例である。低周波で振動を発生させる態様は、第２振動態様の一例である。
【００４７】
振動制御部５２は、振動部２０を制御して、超音波帯域の高周波で操作パネル１０を振動させると、操作パネル１０には定在波Ｗ（図１参照）が発生し、これにより、スクイーズ効果を利用してユーザに対する操作面１１の摩擦力を低減させることができる。
【００４８】
スクイーズ効果とは、振動部２０により操作面１１が高周波で振動して定在波Ｗが生じると、振動による圧力変動で、ユーザの指と操作面１１との間に空気層が形成され、ユーザの指と操作面１１との間の摩擦抵抗が、振動がない場合に比べて相対的に低くなる現象を指す。
【００４９】
このように操作パネル１０の操作面１１の摩擦力が低減することから、たとえば、操作パネル１０の操作面１１上で指を移動させるユーザのスライド操作のスライド方向に対して吸い込まれていくような、つるつるした触感を与えることができる。
【００５０】
また、振動制御部５２は、振動部２０を制御して、ユーザの指が操作面１１に接触した状態において低周波で操作パネル１０を振動させると、振動部２０の振動が操作パネル１０を介してユーザの指に伝達し、ぶるぶる震える触感を与えることができる。
【００５１】
表示装置６０は、表示制御部６１と、表示部６２とを備える。表示制御部６１は、操作検出部５１から出力された、ユーザの操作面１１に対する入力操作を示す信号に応じて、表示部６２に所定の画像を表示させる。表示部６２は、たとえば液晶ディスプレイを用いることができるが、これに限られず、たとえば有機ＥＬディスプレイなどその他の種類のディスプレイであってもよい。
【００５２】
＜４．入力システムの具体的構成＞
次に、入力装置１を含む入力システム１００について図４および図５を参照してさらに詳しく説明する。図４は実施形態に係る入力システム１００の平面図であり、図５は図４のＶ−Ｖ線断面図である。
【００５３】
入力システム１００は、上記した入力装置１と、制御部５０が搭載された制御基板７０（図５参照）と、筐体８０とを備える。制御基板７０には、上記した制御部５０等に加え、制御部５０用の接続端子７１（図５参照）が搭載される。かかる接続端子７１は、振動部２０に図示しない配線を介して電気的に接続される。
【００５４】
筐体８０は、たとえば略直方体に形成され、入力装置１および制御基板７０などを収容する。なお、図４では、筐体８０に収容された入力装置１等をよく示すため、筐体８０を想像線で示した。
【００５５】
筐体８０は、平面視略矩形状の開口８１が形成される。操作パネル１０は、筐体８０の開口８１に近接して配置され、操作パネル１０のうち開口８１によって露出する部位が操作面１１となる。
【００５６】
図５に示すように、筐体８０は、載置部８２と、押圧部８３とを備える。載置部８２は、筐体８０の底面から上方に向けて突設され、支持パネル３０が載置される。押圧部８３は、筐体８０の上面から下方に向けて突設される。そして、押圧部８３は、支持パネル３０を載置部８２側へ向けて押圧する。これにより、支持パネル３０を含む入力装置１は、筐体８０内に安定して保持されることとなる。なお、図５に示す載置部８２および押圧部８３の位置や形状は、あくまでも一例であって限定されるものではない。
【００５７】
図４に示すように、入力装置１の操作パネル１０は、四角形状の板であり、詳しくは長辺１０ｃと短辺１０ｄとを備えた矩形状の板である。また、支持パネル３０も、操作パネル１０と同様に、矩形状の板である。支持パネル３０は、平面視において各辺が操作パネル１０の長辺１０ｃや短辺１０ｄより長くなるように形成される、すなわち、平面視において面積が操作パネル１０より大きくなるように形成される。また、支持パネル３０は、厚さが操作パネル１０よりも厚くなるように形成されるが、これに限られない。
【００５８】
操作パネル１０および支持パネル３０は、いずれも硬度が比較的高いガラス製とされる。これにより、操作パネル１０および支持パネル３０は、たとえば外部からの衝撃や熱に対する耐久性を向上させることができる。なお、操作パネル１０および支持パネル３０は、ガラス製に限定されるものではなく、たとえば樹脂などその他の種類の材料から製作されてもよい。
【００５９】
振動部２０は、たとえば操作パネル１０の短辺１０ｄの近傍にそれぞれ取り付けられる。言い換えると、振動部２０は、操作パネル１０の長辺方向（Ｘ軸方向）の端部にそれぞれ取り付けられる。また、振動部２０は、たとえば操作面１１の外側の領域に互いに対向して取り付けられる。なお、図４および図５では、振動部２０において互いに対向する側面を符号２０ａで示している。
【００６０】
図４に示すように、接着部４０は、たとえば操作面１１の外側の領域に位置される。また、接着部４０は、操作パネル１０の長辺１０ｃ側と支持パネル３０とを接着する位置に設けられる。これにより、操作パネル１０に高周波の振動や低周波の振動を効率よく発生させることができる。
【００６１】
すなわち、操作パネル１０の振動により操作パネル１０に撓みが生じると、操作パネル１０における高周波の振動等の発生が阻害されることがある。そこで、本実施形態にあっては、撓みが生じ易い操作パネル１０の長辺１０ｃ側と支持パネル３０とを接着部４０で接着することで、撓みを抑制することができ、よって操作パネル１０に高周波の振動や低周波の振動を効率よく発生させることができる。
【００６２】
接着部４０の第１接着部４０ａは、操作パネル１０における四隅部１０ｂと支持パネル３０とを接着する位置に設けられる。なお、四隅部１０ｂは、上記したように、操作パネル１０における振動部２０の周辺領域１０ａ（図４参照）に含まれる。
【００６３】
このように、操作パネル１０の四隅部１０ｂに、硬度が低い第１接着部４０ａを設けるようにしたことから、操作パネル１０は、支持パネル３０に対してより揺れ易くなる。これにより、たとえば入力装置１が振動部２０を低周波で振動させた場合、振動部２０の振動に伴って操作パネル１０に低周波の振動をより一層効率よく発生させることができる。
【００６４】
第１接着部４０ａは、第２接着部４０ｂと連続するように位置される。第１接着部４０ａと第２接着部４０ｂとは、一体的に形成されても、別体に形成されてもよい。そして、第１接着部４０ａと第２接着部４０ｂとの境界面４１は、振動部２０の互いに対向する側面２０ａと面一になるように位置されてもよい。なお、面一という表現は、必ずしも同一平面上にあることを意味するものではなく、境界面４１と側面２０ａとのずれがある程度の誤差を含む許容範囲内であれば、面一とみなすものとする。
【００６５】
これにより、入力装置１が振動部２０を高周波で振動させた場合、操作パネル１０に定在波Ｗ（図１参照）をより効率よく発生させることができる。すなわち、定在波Ｗは、互いに対向する振動部２０の間に対応する操作パネル１０の部位に発生する。本実施形態にあっては、第１、第２接着部４０ａ，４０ｂの境界面４１を上記のように位置したことから、対向する振動部２０の間に対応する操作パネル１０の部位に、硬度が高い第２接着部４０ｂを位置させることができる。これにより、入力装置１が振動部２０を高周波で振動させた場合、振動部２０の振動は第２接着部４０ｂに吸収され難いことから、結果として操作パネル１０に定在波Ｗをより効率よく発生させることができる。
【００６６】
上述してきたように、実施形態に係る入力装置１は、操作パネル１０と、振動部２０と、支持パネル３０と、接着部４０とを備える。操作パネル１０は、操作面１１を有する。振動部２０は、操作パネル１０に取り付けられ、操作パネル１０を振動周波数が異なる複数の態様で振動させる。支持パネル３０は、操作パネル１０の操作面１１とは反対側の裏面１２に対向して配置され、操作パネル１０を支持する。接着部４０は、操作パネル１０と支持パネル３０とを接着する。
【００６７】
また、接着部４０は、第１接着部４０ａと、第２接着部４０ｂとを備える。第１接着部４０ａは、操作パネル１０における振動部２０の周辺領域１０ａと支持パネル３０とを接着する。第２接着部４０ｂは、第１接着部４０ａより硬度が高く、操作パネル１０における振動部２０の周辺領域１０ａ以外の領域と支持パネル３０とを接着する。これにより、振動周波数が異なる複数の態様の振動を操作パネル１０に効率よく発生させることができる。
【００６８】
また、接着部４０は、粘着テープであるようにした。これにより、操作パネル１０と支持パネル３０とを容易に接着することができる。
【００６９】
なお、上記では、第１、第２接着部４０ａ，４０ｂとして用いられる粘着テープの材質を具体的に示したが、これらはあくまでも例示であって限定されるものではない。また、第１、第２接着部４０ａ，４０ｂとして粘着テープを用いるようにしたが、これに限られるものではない。すなわち、第１、第２接着部４０ａ，４０ｂは、操作パネル１０と支持パネル３０とを接着できればよく、たとえば接着剤などであってもよい。
【００７０】
なお、上記した電子装置システム２００において、入力システム１００と表示装置６０とは離間して配置されるが（図２参照）、これに限定されるものではない。すなわち、電子装置システム２００は、図６に示すように、入力システム１００と表示装置６０とを一体化したタッチパネルを含む構成であってもよい。
【００７１】
図６は、電子装置システム２００における入力システム１００と表示装置６０との関係を示す図である。図６に示すように、操作パネル１０の裏面１２側に表示装置６０が配置されており、ユーザは、操作パネル１０を介して表示装置６０に表示された画面を見ることができる。  なお、図６においては、支持パネル３０などの図示を省略した。
【００７２】
＜５．変形例＞
次に、変形例に係る入力システム１００について図７を参照して説明する。図７は、変形例に係る入力システム１００の平面図である。なお、図７においては、筐体８０などの図示を省略した。また、以下においては、実施形態と共通の構成については、同一の符号を付して説明を省略する。
【００７３】
上記した実施形態にあっては、第１接着部４０ａと第２接着部４０ｂとが連続するように位置されるが、これに限定されるものではない。すなわち、図７に示す変形例のように、第１接着部４０ａと第２接着部４０ｂとが所定距離離間して位置されてもよい。
【００７４】
かかる場合であっても、実施形態と同様に、高周波の振動や低周波の振動など振動周波数が異なる複数の態様の振動を操作パネル１０に効率よく発生させることができる。
【００７５】
なお、上記では、振動部２０は、操作パネル１０の操作面１１側に取り付けられるようにしたが、これに限られず、たとえば操作パネル１０の操作面１１とは反対側の裏面１２に取り付けられるようにしてもよい。
【００７６】
また、上記では、電子装置システム２００が車両に搭載される例を示したが、これに限定されるものではなく、たとえばスマートフォンやタブレット端末などその他の種類の装置に搭載されてもよい。
【００７７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７８】
１  入力装置
１０  操作パネル
１１  操作面
２０  振動部
３０  支持パネル
４０  接着部
４０ａ  第１接着部
４０ｂ  第２接着部
５２  振動制御部
１００  入力システム
２００  電子装置システム
【図１】
2018205880.tif 000003
【図２】
2018205880.tif 000004
【図３】
2018205880.tif 000005
【図４】
2018205880.tif 000006
【図５】
2018205880.tif 000007
【図６】
2018205880.tif 000008
【図７】
2018205880.tif 000009